【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
患者の標的組織にプローブ先端を接触させることと、
第１の時間にオキシメータプローブの源構造から前記標的組織に第１の光を透過することと、
前記標的組織から反射された第１の反射光を前記オキシメータプローブの複数の検出器構造によって検出することと、
前記検出器構造によって検出された前記第１の反射光の第１の反射率データを前記検出器構造によって生成することと、
前記反射率データを複数のシミュレート反射率曲線に適合させることと、
前記第１の反射率データの、前記複数のシミュレート反射率曲線への適合から、前記シミュレート反射率曲線のうちの１つ以上の最良適合曲線を判断することとを備え、各シミュレート反射率曲線は、オキシメータパラメータの値に関連付けられ、さらに、
前記シミュレート反射率曲線のうち、前記第１の反射率データに対して最良に適合する１つ以上の曲線について、少なくとも第１のオキシメータパラメータを判断することと、
前記第１のオキシメータパラメータに基づいて第１のオキシメータ測定値の第１の値を判断することと、
前記第１のオキシメータ測定値の前記第１の値を前記メモリに格納することと、
第２の時間に前記オキシメータプローブの前記源構造から前記標的組織に第２の光を透過することと、
前記標的組織から反射された第２の反射光を前記オキシメータプローブの前記複数の検出器構造によって検出することと、
前記検出器構造によって検出された前記第２の反射光について第２の反射率データを前記検出器構造によって生成することと、
前記第２の反射率データを前記複数のシミュレート反射率曲線に適合させることと、
前記第２の反射率データの、前記複数のシミュレート反射率曲線への適合から、前記シミュレート反射率曲線のうちの１つ以上の最良適合曲線を判断することと、
前記シミュレート反射率曲線のうち、前記第２の反射率データに対して最良に適合する１つ以上の曲線について、少なくとも第２のオキシメータパラメータを判断することと、
前記第２の吸収係数に基づいて第２のオキシメータ測定値の第２の値を判断することと、
前記メモリから前記第１の値を検索することと、
前記第１の値と前記第２の値との間の百分率差を判断することと、
前記オキシメータプローブのディスプレイ上に前記百分率差を表示することとを備える、方法。
【請求項２】
前記第１のオキシメータ測定値は第１の酸素飽和度であり、前記第２のオキシメータ測定値は第２の酸素飽和度値である、請求項１に記載の方法。
【請求項３】
前記百分率差は数値として表示される、請求項１に記載の方法。
【請求項４】
前記第２の値を前記ディスプレイ上に表示することを備える、請求項１に記載の方法。
【請求項５】
前記百分率の差が増加したことを示すために、前記ディスプレイ上に矢印を下向きに表示することを備える、請求項１に記載の方法。
【請求項６】
矢印は赤色である、請求項４に記載の方法。
【請求項７】
前記百分率差が減少したことを示すために、前記ディスプレイ上に矢印を上向きに表示することを備える、請求項１に記載の方法。
【請求項８】
前記矢印は緑色である、請求項５に記載の方法。
【請求項９】
エピネフリンを前記標的組織に導入することと、
前記ディスプレイ上に表示される百分率値の変化を介して前記標的組織中のエピネフリンの効果を判断することとを備える、請求項１に記載の方法。
【請求項１０】
オキシメータ装置を含み、前記オキシメータ装置は、前記装置の遠位端上に源構造および検出器構造を含むプローブ先端と、前記プローブ先端に近接するディスプレイとを含み、
前記オキシメータ装置は、第１の酸素飽和度値、第２の酸素飽和度値、および前記第１の酸素飽和度値と前記第２の酸素飽和度値との間の相対酸素飽和度値を計算し、前記第１の酸素飽和度値と前記第２の酸素飽和度値との間の前記相対酸素飽和度値を表示し、前記オキシメータ装置は特に、
第１の期間において、前記オキシメータプローブの光源から、測定されるべき第１の組織に、光を透過し、
前記第１の期間において前記透過光に応答して前記第１の組織によって反射された光を前記オキシメータプローブの検出器で受光し、
第２の期間において、前記オキシメータプローブの前記光源から測定すべき第２の組織に光を透過するよう構成され、前記第２の期間は前記第１の期間の後であり、前記オキシメータ装置はさらに、
前記第２の期間における前記透過光に応答して前記第２の組織によって反射される光を前記オキシメータプローブの前記検出器で受光し、
前記第１の組織について前記第１の酸素飽和度値を判断し、
前記第２の組織について前記第２の酸素飽和度値を判断し、
前記第１の酸素飽和度値と前記第２の酸素飽和度値との間の相対酸素飽和度値を計算し、
前記相対酸素飽和度値を前記ディスプレイに表示するよう構成される、システム。
【請求項１１】
前記第１の組織および前記第２の組織は同じ位置にある、請求項１０に記載のシステム。
【請求項１２】
前記第１の組織および前記第２の組織は異なる位置にある、請求項１０に記載のシステム。
【請求項１３】
前記相対酸素飽和度値は、前記第２の期間後、および前記第２の酸素飽和度値の判断後まで、表示に利用することはできない、請求項１０に記載のシステム。
【請求項１４】
前記相対酸素飽和度値は、前記第１の酸素飽和度値と前記第２の酸素飽和度値との間の差である、請求項１０に記載のシステム。
【請求項１５】
前記相対酸素飽和度値は、前記第１の酸素飽和度値と前記第２の酸素飽和度値との間の比である、請求項１０に記載のシステム。
【請求項１６】
前記相対酸素飽和度値は、記号で前記ディスプレイに表示され、前記第２の酸素飽和度値が、前記第１の酸素飽和度値より上であること、前記第１の酸素飽和度値より下であること、または前記第１の酸素飽和度値と等しいことを示す、請求項１０に記載のシステム。
【請求項１７】
前記相対酸素飽和度値は第１の相対酸素飽和度値であり、前記オキシメータ装置は、特に、
第３の期間において、前記オキシメータプローブの前記光源から測定すべき第３の組織に光を透過するよう構成され、前記第３の期間は前記第２の期間の後であり、前記オキシメータ装置はさらに、
前記第３の期間における前記透過光に応答して前記第３の組織によって反射される光を前記オキシメータプローブの前記検出器で受光し、
前記第３の組織について第３の酸素飽和度値を判断し、
前記第３の酸素飽和度値と前記第２の酸素飽和度値との間の第２の相対酸素飽和度値を計算し、
前記第２の相対酸素飽和度値を前記ディスプレイに表示するよう構成される、請求項１０に記載のシステム。
【請求項１８】
前記相対酸素飽和度値は第１の相対酸素飽和度値であり、前記オキシメータ装置は特に、
第３の期間において、前記オキシメータプローブの前記光源から測定すべき第３の組織に光を透過するよう構成され、前記第３の期間は前記第２の期間の後であり、前記オキシメータ装置はさらに、
前記第３の期間における前記透過光に応答して前記第３の組織によって反射される光を前記オキシメータプローブの前記検出器で受光し、
前記第３の組織について第３の酸素飽和度値を判断し、
前記第３の酸素飽和度値と前記第１の酸素飽和度値との間の第２の相対酸素飽和度値を計算し、
前記第２の相対酸素飽和度値を前記ディスプレイに表示するよう構成される、請求項１０に記載のシステム。
【請求項１９】
前記相対酸素飽和度値は第１の相対酸素飽和度値であり、前記オキシメータ装置は特に、
ユーザからの前記オキシメータの第１の動作モードのための第１の指示、またはユーザからの前記オキシメータの第２の動作モードのための第２の指示を受信し、
第３の期間において、前記オキシメータプローブの前記光源から測定すべき第３の組織に光を透過するよう構成され、前記第３の期間は前記第２の期間の後であり、前記オキシメータ装置はさらに、
前記第３の期間における前記透過光に応答して前記第３の組織によって反射される光を前記オキシメータプローブの前記検出器で受光し、
前記第３の組織について第３の酸素飽和度値を判断し、
前記第１の動作モードでは前記第３の酸素飽和度値と前記第２の酸素飽和度値との間の第２の相対酸素飽和度値を計算し、前記第２の動作モードでは前記第３の酸素飽和度値と前記第１の酸素飽和度値との間の第３の相対酸素飽和度値を計算し、
前記第１の動作モードでは前記第２の相対酸素飽和度値を前記ディスプレイに表示し、前記第２の動作モードでは前記第３の相対酸素飽和度値を前記ディスプレイに表示するよう構成される、請求項１０に記載のシステム。
【請求項２０】
前記第２の相対酸素飽和度値または前記第３の相対酸素飽和度値のみが一度に前記ディスプレイ上に表示される、請求項１９に記載のシステム。